(57)【要約】【課題】鏡筒内に搭載する光量調節装置において無駄なスペースを低減し、装置を小型化する。【解決手段】光通過開口を有する開口形成部材と、前記光通過開口に進入および退避可能なように駆動部により駆動され、第１フィルタが取り付けられた保持羽根と、前記開口形成部材との間に、前記保持羽根を駆動する空間を形成するカバー部材と、前記開口形成部材に設けられ、前記保持羽根が前記光通過開口へ進退する際に、前記保持羽根と摺接する摺接部とを備え、前記摺接部は、前記光通過開口との距離によって前記開口形成部材との距離が異なる部分を有することを特徴とする。【選択図】図１
2018077341.tif 000002
【特許請求の範囲】
【請求項１】
光通過開口を有する開口形成部材と、
前記光通過開口に進入および退避可能なように駆動部により駆動され、第１フィルタが取り付けられた保持羽根と、
前記開口形成部材との間に、前記保持羽根を駆動する空間を形成するカバー部材と、
前記開口形成部材に設けられ、前記保持羽根が前記光通過開口へ進退する際に、前記保持羽根と摺接する摺接部と
を備え、
前記摺接部は、前記光通過開口との距離によって前記開口形成部材との距離が異なる部分を有することを特徴とする光量調節装置。
【請求項２】
前記摺接部はレール状の第１レールであり、前記カバー部材には前記第１レールと向かい合う第２レールが設けられ、
前記保持羽根の一部が前記第１レールおよび前記第２レールに挟まれた状態で前記光通過開口に対し進退することを特徴とする請求項１に記載の光量調節装置。
【請求項３】
前記摺接部は、前記第１フィルタが前記光通過開口に進入したときから退避するまでの間に前記開口形成部材と前記保持羽根との距離が広がるような傾斜を有し、
前記光通過開口に進退する第２フィルタが取り付けられた他の保持羽根を備え、
前記他の保持羽根は前記開口形成部材との距離を一定に保ちながら前記光通過開口に対し進退することを特徴とする請求項２に記載の光量調節装置。
【請求項４】
前記第１フィルタと前記第２フィルタとは、相互に切り替わって前記光通過開口に進入することを特徴とした請求項３に記載の光量調節装置。
【請求項５】
前記第１フィルタと前記第２フィルタは前記光通過開口に進入した際の光通過方向に対する前記光通過開口からの位置は略同一であることを特徴とした請求項３または４に記載の光量調節装置。
【請求項６】
光通過開口を有する開口形成部材と、
前記光通過開口に挿入および退避可能なように駆動部により駆動され、フィルタが取り付けられた保持羽根と、
前記開口形成部材との間に、前記保持羽根を駆動する空間を形成するカバー部材と
を備え、
前記保持羽根は、前記光通過開口から退避するように前記駆動部により駆動されるに従って、前記開口形成部材との距離が大きくなることを特徴とする光量調節装置。
【請求項７】
請求項１から６のいずれか一項に記載の光量調節装置を備える撮像装置。
【発明の詳細な説明】
【技術分野】
【０００１】
本発明は、ＩＲ（赤外光）カットフィルタやＡＲ（反射防止）フィルタをレンズに対して出し入れする、または切換える装置を搭載したビデオカメラや監視カメラのレンズ鏡筒内に組み込まれている光量調節装置に関するものである。
【背景技術】
【０００２】
近年、ハイスペックなビデオカメラや監視カメラにはＩＲカットフィルタとＡＲフィルタを切換える光量調節装置やＩＲカットフィルタの出し入れ機能のみの光量調節装置を搭載する製品が増えている。すなわち、撮像素子に照射される光をより自然にディスプレイや画面に出力させるために状況に応じた不必要な光を遮断する技術が求められている。
【０００３】
人の目は、４００〜７８０ｎｍ波長領域の光線に応答する仕組みになっている。これに対し、例えば、ＣＣＤでは、４００〜７００ｎｍの範囲の波長の光線に高感度で応答し、さらに４００ｎｍ未満の波長の光線や７００ｎｍを越える波長の光線にも応答する。
【０００４】
カメラで昼間に撮影を行うとＩＲ光を感知する撮像素子は画面に出力する際赤みがかった映像を作り出してしまう。そのため昼間はＩＲカットフィルタを光路に入れ、ＩＲ光を遮断して人の目に近い自然な画像を作り出す必要がある。
【０００５】
夜間や光量が比較的少ない環境においては逆に撮像素子の能力に対し感度が足りないため、より多くの光を取り込み明るく画面に出力させる必要がある。その際はＩＲカットフィルタを取り除き撮影を行うが、この時ＩＲカットフィルタを取り除くことで発生する光の位相差を無くすためにダミーとしてＡＲフィルタを挿入する場合がある。ＩＲカットフィルタとＡＲフィルタは同じ厚みであることが多い。また、ロースペックモデルのカメラにおいてはＡＲフィルタを搭載しない製品もあり、ＩＲカットフィルタを光路上から外すのみで対応する製品もある。
【０００６】
従来２枚のフィルタを交互に切り換える光量調節装置としては、特許文献１のようにＩＲカットフィルタとＡＲフィルタは光通過方向とは垂直な面方向に並列されており、ＩＲカットフィルタとＡＲフィルタが同時に同方向に可動する装置が提案されている。また、ＩＲカットフィルタのみを出し入れする場合にも、特許文献２のようにフィルタを面方向に挿脱するものが開示されている。
【先行技術文献】
【特許文献】
【０００７】
【特許文献１】特開２００３−３４８３９８号公報
【特許文献２】特開２００８−３４０８号公報
【発明の概要】
【発明が解決しようとする課題】
【０００８】
しかしながら、特許文献１のようなフィルタの切り換え機構では、ＩＲカットフィルタを退避させるスペースが光量調節装置を大型化させ、それに伴って鏡筒も大型化してしまう。ＩＲカットフィルタを挿入しＡＲフィルタが退避した場合、ＩＲカットフィルタが元にあったスペースは使用されず、無駄となってしまう。
【０００９】
また、光量調節装置の中にはギアなどの駆動力伝達機構を用いて２種類のフィルタが互いに逆向きに可動するような機構にしている構成もある。しかし、複数のギアを介して駆動力を伝達させるため力の損失が大きくなり、また、複数ギア分のスペースが必要となるため装置が大型化してしまっていた。
【課題を解決するための手段】
【００１０】
本発明に係る光量調整装置によれば、
光通過開口を有する開口形成部材と、
前記光通過開口に進入および退避可能なように駆動部により駆動され、第１フィルタが取り付けられた保持羽根と、
前記開口形成部材との間に、前記保持羽根を駆動する空間を形成するカバー部材と、
前記開口形成部材に設けられ、前記保持羽根が前記光通過開口へ進退する際に、前記保持羽根と摺接する摺接部と
を備え、
前記摺接部は、前記光通過開口との距離によって前記開口形成部材との距離が異なる部分を有することを特徴とする光量調節装置
【発明の効果】
【００１１】
本発明の光量調節装置では、フィルタが光通過開口から退避した際に光通過方向の位置が変わることによって無駄なスペースを低減し、装置を小型化できる。
【図面の簡単な説明】
【００１２】
【図１】本発明の一実施例に係る光量調節装置の分解斜視図。
【図２】本発明の一実施例に係る光量調節装置のカバーを外した状態の正面図。
【図３】本発明の一実施例に係る光量調節装置のカバーを外した状態の他の正面図。
【図４】本発明の一実施例に係る光量調節装置の断面図。
【図５】本発明の一実施例に係る光量調節装置の他の断面図。
【図６】本発明の一実施例に係る光量調節装置を搭載した撮像装置の断面図。
【図７】本発明の一実施例に係る光量調節装置を搭載した撮像装置の他の断面図。
【図８】本発明の他の実施例に係る光量調節装置の分解斜視図。
【図９】本発明の他の実施例に係る光量調節装置の詳細説明図。
【図１０】本発明の他の実施例に係る光量調節装置の他の詳細説明図。
【図１１】本発明の他の実施例に係る光量調節装置の他の詳細説明図。
【図１２】本発明一実施例に係る光量調節装置の取り付け方を示す斜視図。
【発明を実施するための形態】
【００１３】
（実施例１）
図１は本発明における光量調節装置の分解斜視図を示している。本発明におけるＩＲカットフィルタ８は光量調節装置内、あるいは鏡筒内部に入射する光線の赤外線のみをカット（反射）するように蒸着された光学フィルタである。基材はガラスであっても樹脂であっても良い。ＩＲカットフィルタ８を構成する赤外線吸収体８ａとして、６２０ｎｍ〜６６０ｎｍの波長帯域内の波長で透過率が５０％となる光透過特性を示すものと、赤外線反射体８ｂとして、６７０ｎｍ〜６９０ｎｍの波長帯域内の波長で透過率が５０％となる光透過特性を示すものとを有しており、この赤外線吸収体８ａと赤外線反射体８ｂとを組み合わせることにより、ＩＲカットフィルタ８を構成している。ただし、この波長は一例であり、上述した波長範囲と異なる赤外線吸収体や赤外線反射体を用いても良い。
【００１４】
光通過開口１ａを持つ地板（開口形成部材）１は、成形樹脂部品で構成されている。地板１にはコイル２が組み込まれ、そのコイル２を取り囲むようにヨーク３が挿入され地板１に固定される。コイル２には不図示の円筒形の２極性磁石２ｂが組み込まれており、シャフト２ａと一体となっている。ヨーク３には部分的にヨークの中心に向かって凹み３ａが設けられており、磁石２ｂの磁極と凹み３ａが引き付け合う。コイル２にはコイル線２ｃが巻回されていて、コイル端子２ｄに引き回されている。コイル端子２ｄはＦＰＣ（フレキシブルプリント基板）等の基板を通じて駆動回路装置に連結される。
【００１５】
コイル端子２ｄを通じたコイル線２ｃへの通電時にはコイル２は電磁石となり内部の磁石２ｂが、コイル線２ｃによって形成される磁界の向きに倣おうと回転する。このとき、回転後の磁石２ｂは回転前とは逆側の磁極が凹み３ａに引き付けられた状態で停止する。さらに、コイル線２ｃへの逆通電時には磁石２ｂの磁極は元の磁極位置に引き付けられる。このように通電方向を正負に切り換えることでシャフト２ａはＣＷ、ＣＣＷ方向に回転し、コイル２とヨーク３はアクチュエータの役割を果たす。
【００１６】
シャフト２ａは地板１を介してアーム４の中心穴部４ａに軽圧入され一体となっており、アーム４はコイル線２ｃへの通電方向の切換えによりＣＷ、ＣＣＷ方向に回転する。地板１にはストッパ１ｄとストッパ１ｅが設けられており、アーム４が適切量回転した後アーム４の腕部４ｄがストッパ１ｄ、１ｅに衝突し、停止する。
【００１７】
このようなアクチュエータの場合、ストッパ１ｄ、１ｅの２点で停止する状態において、２極の磁石２ｂがヨーク３の凹３ａに引き付けられ保持される状態となるように設定される。
【００１８】
アーム４には駆動ピン４ｂが設けられている。保持羽根５はプレス成型によって形作られる薄板のシート材となっている。保持羽根５に設けられた長穴５ａは駆動ピン４ｂに係合しており、別の長穴５ｂと５ｃはそれぞれ地板１のガイドピン１ｂ、１ｃに係合している。この構成において、コイル端子２ｄからコイル線２ｃを通じてコイル２へ通電するとアーム４が回転し、保持羽根５はガイドピン１ｂ、１ｃに沿う方向に可動する。
【００１９】
保持羽根５にはＩＲカットフィルタ８が接着によって取り付けられており、ＩＲカットフィルタ８は保持羽根５と一体となっているためコイル２への通電によって光通過開口１ａに対し挿入、退避して可動する。ＩＲカットフィルタ８は地板１の光通過開口１ａに挿入された際には光通過開口を完全に覆う大きさとなっている。より詳しくは、光通過開口１ａよりも一回り大きく形成されている。
【００２０】
カバー（カバー部材）９には穴９ｂ、９ｃがあり、地板１の位置決め軸１ｊ、１ｇと係合し、地板１とカバー９が適切な位置関係になる。すなわち、地板１とカバー９との間に保持羽根５を駆動する空間を形成しつつ、地板１に係合する。位置決め軸１ｊ、１ｇによって地板１に対するカバー９の位置決めを行った状態で、ビス１０ａとビス１０ｂによって、地板１とカバー９とを締結している。ビス１０ａはカバーの穴９ｄを通り地板１のビス穴１ｈにセルフタップで挿入される。ビス１０ｂも同様で、カバーの穴９ｅを通り地板１のビス穴１ｉにセルフタップで挿入される。こうすることによって地板１とカバー９が固定される。地板１の光通過開口１ａとカバー９の光通過開口を貫通する光軸に対してＩＲカットフィルタ８が挿入されることで光学フィルタとしての特性を発揮する。
【００２１】
図２はＩＲカットフィルタ８が地板１の光通過開口１ａに挿入された状態で、カバー９が取り外された状態を示している。地板１にはレール（摺接部）１ｍが設けられており、レール１ｍと係合するように設けられた長穴５ｂにより、保持羽根５がレール面に沿って摺動するようになっている。地板１に設けられたレール１ｎも同様である。図３はコイル２への通電方向を逆転させ、アーム４が図２とは反対方向に回転した状態を示している。アーム４が回転することによって駆動ピン４ｂと係合している保持羽根５の長穴５ａが追従し、保持羽根５に接着されているＩＲカットフィルタ８は光通過開口１ａから退避する。カバー９には地板１のガイドピン１ｃと干渉しないように凹部９ａが設けられている。ガイドピン１ｃが凹部９ａに挿入されるように嵌合しており、保持羽根５がガイドピン１ｃから抜けることなく可動することができる。同様に、カバー９には地板１のガイドピン１ｃと干渉しないように他の凹部９ａが設けられており、ガイドピン１ｂが凹部９ａに挿入されるように嵌合することで、保持羽根５がガイドピン１ｂから抜けることなく可動することができる。
【００２２】
またこのようなアクチュエータを搭載した構成の場合２極磁石による２点保持が可能なため光通過開口へ異なる２枚のフィルタを挿入・退避させる際、駆動源とする電源系を長時間稼働させる必要はなく、無通電状態でフィルタ位置を保持することができる。
【００２３】
図４は、図２のレール１ｍとレール１ｎを通る断面Ｇにおける断面図を示している。また図５は、図３のレール１ｍとレール１ｎを通る断面Ｈにおける断面図を示している。カバー９にはレール９ｍ、９ｎが設けられている。レール１ｍとレール９ｍ、およびレール１ｎとレール９ｎは略平行に向かい合っており、レール１ｍとレール９ｍ、レール１ｎとレール９ｎは保持羽根５が光通過開口１ａから退避した際に光通過開口方向にも移動可能なように傾きを持った部分である傾斜部を有している。傾斜部は、光軸方向と直交する地板１の面方向において光通過開口１ａから遠ざかるにつれて地板１との距離が大きくなるように設けられている。
【００２４】
保持羽根５の長穴５ｃと外形との間の形成部５ｍがレール１ｍとレール９ｍとの間に、保持羽根５の長穴５ｂと外形との間の形成部５ｎがレール１ｎとレール９ｎとの間に配置されている。保持羽根５はアーム４の駆動によって可動するが、可動の軌跡はレール１ｍとレール９ｍとの間にある形成部５ｍ、レール１ｎとレール９ｎとの間にある形成部５ｎによって規制される。光通過開口１ａからフィルタ８が退避する際に、保持羽根５は光通過開口１ａから光通過方向に離れる方向に移動している。
【００２５】
図６は、図４の状態における本発明に係る光量調節装置に鏡筒およびレンズが取り付けられている状態の撮像装置の断面図を示し、図７は図５の状態において本発明に係る光量調節装置に鏡筒およびレンズが取り付けられている状態の撮像装置の断面図を示している。ＩＲカットフィルタ８が光通過開口１ａに挿入されている図６の状態においてはレンズ２７０とＩＲカットフィルタは適切な距離が確保されている。この状態からＩＲカットフィルタが退避した図７の状態においては図６の状態と比較すると光通過方向においてレンズ側に近づいている。
【００２６】
このような可動形態の場合、従来の構成と比較して、レンズやレンズを固定する部品を光量調節装置にさらに接近させることができ、鏡筒を低背化することが可能となる。また、フィルタを光通過開口から退避させ、挿入時よりもフィルタを光通過方向に置いてレンズ等の部品に近づけさせることによって、他の部品を収納するスペースを作ることができ、鏡筒に機能を追加することがきる。または鏡筒を小型化することが可能となる。
【００２７】
（実施例２）
図８に実施例２の分解斜視図を示す。
【００２８】
実施例１で説明した構成に保持羽根６およびＡＲフィルタ７が追加となっている。保持羽根６は長穴６ａ、６ｂ、６ｃを有しており、長穴６ａがアーム４の駆動ピン４ｃに挿入され係合し、長穴６ｃが地板１のガイドピン１ｐ、１ｑに挿入され係合する。保持羽根６にはＡＲフィルタ７が貼り付けられている。ＡＲフィルタ７は地板１の光通過開口１ａを覆う大きさに設定されており、退避時は光通過開口１ａに被らない大きさとなっている。
【００２９】
アーム４には駆動ピン４ｂ、４ｃが設けられている。保持羽根６はプレス成型によって形作られ薄板のシート材となっている。保持羽根６に設けられた長穴６ａは駆動ピン４ｂに係合しており、別の長穴６ｂと６ｃはそれぞれ地板１のガイドピン１ｐ、１ｑに係合している。
【００３０】
コイル端子２ｄからコイル線２ｃを通じてコイル２へ通電するとアーム４が回転し、保持羽根５は保持羽根の長手方向に可動する。保持羽根５にはＩＲカットフィルタ８が接着されており、ＡＲフィルタ７は保持羽根６に接着され一体となっているためコイル２への通電によって光通過開口１ａに対し挿入、退避して可動する。ＡＲフィルタ７は地板１の光通過開口１ａに挿入された際は光通過開口を完全に覆う大きさとなっている。
【００３１】
図９（Ａ）は光通過開口１ａにＩＲカットフィルタ８が挿入されている状態を示す。図９（Ｂ）はレール１ｍの断面図（図９（Ａ）のＭ−Ｍ断面）を示している。図９（Ｃ）は光通過開口中心長手方向の断面図（図９（Ａ）のＮ−Ｎ断面）を示しており、ＩＲカットフィルタ８とＡＲフィルタ７が光通過方向において同位置になっている状態を示す。
【００３２】
図１０（Ａ）に保持羽根５と保持羽根６が光通過方向において同位置になった状態を示している。アーム４が回転することによって保持羽根５と保持羽根６は長手方向に対しては相反する方向に可動している。図１０（Ｂ）は図１０（Ａ）におけるレール１ｍの断面図（図１０（Ａ）のＫ−Ｋ断面）を示している。地板１のレール１ｍとカバー９のレール９ｍに挟まれた保持羽根５の形成部５ｍが図９の状態から光通過方向および長手方向に移動している。また保持羽根５の移動に伴いフィルタ７も移動している。保持羽根６の光通過方向位置は、地板１に設けられたレール１ｒおよびカバー９に設けられたレール９ｒによって規制され、保持羽根６及びフィルタ７は長手方向に移動するが光通過方向には移動していない。すなわち、保持羽根６は地板１との距離を一定に保ちながら光通過開口１ａに対して進退している。
【００３３】
ただし、保持羽根６や地板１、カバー９の寸法精度を考慮しレール１ｒとレール９ｒの間隔は保持羽根６の厚みよりも十分に確保されている。図１０（Ｃ）は図１０（Ａ）における光通過開口中心の長手方向断面を示している。保持羽根５と保持羽根６は光通過方向に対し略同位置にあり、保持羽根５と保持羽根６またはフィルタ７とフィルタ８の光通過方向位置が逆転する直前の状態になっている。
【００３４】
図１１（Ａ）は保持羽根５と保持羽根６、またはフィルタ７とフィルタ８の光通過方向および長手方向に対し図５の状態から逆転した状態を示している。アーム４がストッパ１ｅに衝突するまで回転し、それに伴い保持羽根５と保持羽根６が長手方向に対しては相反する方向に移動している。図１１（Ｂ）は図１１（Ａ）のレール１ｍの断面図である。保持羽根５の形成部５ｍはレール１ｍと９ｍの間を通りＩＲカットフィルタ８が光通過開口１ａから退避し、ＡＲフィルタ７が光通過開口１ａに完全に挿入される位置まで移動している。保持羽根５は長手方向および光通過方向にも移動している。このとき保持羽根６の光通過方向位置は図９および図１０と略同じ位置にあり、アーム４の回転に応じ長手方向に移動している。
【００３５】
保持羽根６は、長手方向に対して移動しているのに対し、保持羽根５はさらに光通過方向にも移動している。光通過方向への移動のガイドとして、レール１ｍとレール９ｍとが寄与している。すなわち、レール１ｍおよびレール９ｍに設けられた傾斜部によって、アーム４の回転運動に伴う付勢力を受けただけで、光通過開口方向への移動が行われている。さらに、保持羽根５の姿勢を安定させるために、レール１ｎとともに長穴５ｂと挿通されるガイドピン１ｃを備える。
【００３６】
ガイドピン１ｃの高さ（地板に対する法線方向）は、レール１ｎの高さよりも高くなっている。すなわち、レール１ｍとレール１ｎとの上部に載った状態となっている保持羽根５に対してもガイドピン１ｃが長穴５ｂに挿通された状態を保つことができるため、同様の高さを形成された駆動ピン４ｂと協働して保持羽根５の支持が可能となり、光通過方向への移動をしながら長手方向に移動する保持羽根５の摺動方向を安定させることができる。
【００３７】
この時、保持羽根５と保持羽根６は同形状であっても良い。ＩＲカットフィルタ８とＡＲフィルタ７は逆の位置関係でも良い。
【００３８】
またＩＲカットフィルタやＡＲフィルタはＮＤフィルタや遮光フィルムのような光学フィルムであっても良い。
【００３９】
このようにして、保持羽根５と保持羽根６とは相互に切り替わって光通過開口１ａ内に進退する。図１０（Ａ）から図１１（Ａ）までの間に、保持羽根５と保持羽根６との両方が光通過開口１ａから退避した位置となる状態を形成することが好ましい。
【００４０】
図１２は、鏡筒１００に対して本発明の実施例に係る電磁駆動装置を取り付ける際の一例を示す。鏡筒１００に設けられた差込口１１０に対し、光量調節装置２００を差し込み、合わせ部１２０と固定部２１０を合わせ、ビス締めにより固定する。
【００４１】
これによってＩＲカットフィルタ７が長手方向のみにしか移動しない構成と比較すると、光通過開口１ａ近傍に接近するレンズやレンズを保持する部品を、ＩＲカットフィルタ７に近づけせることが可能となる。レンズやレンズを保持する部品をＩＲカットフィルタに近づけることによって絞りユニットを低背化することができる。またレンズやレンズを保持する部品をＩＲカットフィルタに近づけることで他の部品を鏡筒内に収納することが可能となり、鏡筒の機能を増やすことができる。
【００４２】
また、ＩＲカットフィルタ８とＡＲフィルタ７のように２枚のフィルタが光通過方向に略同一位置にあることによって光の屈折や位相差など光学特性を安定させることができる。
【符号の説明】
【００４３】
１００  鏡筒
１１０  電磁駆動装置の差込口
１２０  合わせ部
２００  光量調節装置
２１０  合わせ部
２２０  開口部
２３０  アクチュエータ
２４０  ギア機構
２５０  フィルタ保持羽根
２６０  ＩＲカットフィルタ
２７０  ＡＲフィルタ
２８０  レンズ
３００  撮像素子
１  地板
１ａ  光通過開口
１ｂ、１ｃ  ガイドピン
１ｄ、１ｅ  ストッパ
１ｇ、１ｊ  位置決め軸
１ｈ、１ｉ  ビス穴
１ｍ、１ｎ，１ｐ，１ｑ  レール
２  コイル
２ａ  シャフト
２ｂ  磁石
２ｃ  コイル線
２ｄ  コイル端子
３  ヨーク
３ａ  凹み
４  アーム
４ａ  中心穴部
４ｂ、４ｃ  駆動ピン
４ｄ  腕部
５  保持羽根
５ａ、５ｂ、５ｃ  長穴
５ｍ、５ｎ  形成部
６  保持羽根
６ａ、６ｂ、６ｃ  長穴
６ｍ、６ｎ  形成部
７  ＡＲフィルタ
８  ＩＲカットフィルタ
９  カバー
９ｂ、９ｃ、９ｄ、９ｅ  穴
１０ａ、１０ｂ  ビス
【図１】
2018077341.tif 000003
【図２】
2018077341.tif 000004
【図３】
2018077341.tif 000005
【図４】
2018077341.tif 000006
【図５】
2018077341.tif 000007
【図６】
2018077341.tif 000008
【図７】
2018077341.tif 000009
【図８】
2018077341.tif 000010
【図９】
2018077341.tif 000011
【図１０】
2018077341.tif 000012
【図１１】
2018077341.tif 000013
【図１２】
2018077341.tif 000014